(57)【要約】【課題】ユニット着脱時のトナー漏れに起因する用紙の裏汚れを防止できる画像形成装置を提供する。【解決手段】画像形成装置に、二次転写ローラ１２にトナーと同極性の電圧を印加して、二次転写ローラ１２に付着したトナーを中間転写ベルト８に逆転写させるクリーニング手段３０を設ける。正常印刷完了後の主電源ＯＮ等の立ち上げ操作による印刷開始前に、クリーニング手段３０で二次転写ローラ１２を規定時間クリーニングする。プロセスユニット１を装置本体に装着した際に、クリーニング手段３０で二次転写ローラ１２をクリーニングし、かつこのクリーニングの実行時間を、上記規定時間よりも延長する。【選択図】図１
2014130316.tif 000002
【特許請求の範囲】
【請求項１】
装置本体と、潜像を担持する像担持体と、前記像担持体にトナーを供給してトナー像を形成する現像装置と、前記像担時体との間に一次転写ニップを形成し、前記像担持体に担持されたトナー像が一次転写される中間転写体と、前記中間転写体との間に二次転写ニップを形成し、前記中間転写体に担持されたトナー像を記録媒体に二次転写する二次転写部材と、前記二次転写部材をクリーニングするクリーニング手段とを備え、前記像担持体および前記現像装置のどちらか一方または双方を含むユニットが装置本体に対して着脱可能であり、正常印刷完了後の立ち上げ操作による印刷開始前に、前記クリーニング手段で前記二次転写部材を規定時間クリーニングする画像形成装置において、
前記ユニットが装置本体へ装着された場合に、前記クリーニング手段で前記二次転写部材をクリーニングし、かつこのクリーニングの実行時間を、前記規定時間よりも延長することを特徴とする画像形成装置。
【請求項２】
前記クリーニング手段で、前記二次転写部材にトナーと同極性の電圧を印加する請求項１に記載の画像形成装置。
【請求項３】
前記二次転写ニップにおいて前記中間転写体を介して二次転写部材と対向する対向部材を備え、
前記クリーニング手段で、前記対向部材にトナーと逆極性の電圧を印加する請求項１に記載の画像形成装置。
【請求項４】
前記規定時間のクリーニングを、前記中間転写体の前記一次転写ニップを形成した部分が前記二次転写ニップに達するより前に完了させ、かつ前記ユニットが装置本体へ装着された後の前記クリーニング手段による前記二次転写部材のクリーニングを、前記中間転写体の前記一次転写ニップを形成した部分が少なくとも前記二次転写ニップを通過するまで行う請求項２または３に記載の画像形成装置。
【請求項５】
前記クリーニング手段で前記二次転写部材を前記規定時間クリーニングする際に、前記クリーニング手段で前記二次転写部材にトナーと同極性の電圧を印加し、
前記ユニットが装置本体へ装着された際に、前記クリーニング手段で前記二次転写部材にトナーと同極性の電圧を前記規定時間印加した後、前記クリーニング手段で前記二次転写部材にトナーと同極性の電圧および逆極性の電圧を交互に印加する請求項１に記載の画像形成装置。
【請求項６】
前記二次転写ニップにおいて前記中間転写体を介して二次転写部材と対向する対向部材を備え、
前記クリーニング手段で前記二次転写部材を前記規定時間クリーニングする際に、前記クリーニング手段で前記対向部材にトナーと逆極性の電圧を印加し、
前記ユニットが装置本体へ装着された際に、前記クリーニング手段で前記対向部材にトナーと逆極性の電圧を前記規定時間印加した後、前記クリーニング手段で前記対向部材にトナーと同極性の電圧および逆極性の電圧を交互に印加する請求項１に記載の画像形成装置。
【請求項７】
前記ユニットに記憶素子を設け、装置本体へのユニットの装着を、記憶素子に格納された情報の読み取りにより認識する請求項１〜６何れか１項に記載の画像形成装置。
【請求項８】
前記一次転写ニップよりも上流側でかつ前記二次転写ニップよりも下流側に、前記中間転写体に付着したトナーを除去する中間転写体クリーニング装置を配置した請求項１〜７何れか１項に記載の画像形成装置。
【請求項９】
前記延長の要否を、装置本体に装着された前記ユニットの走行距離に基づいて判断する請求項１〜８何れか１項に記載の画像形成装置。
【請求項１０】
複数の前記ユニットを装置本体に着脱可能とし、複数のユニットのうち、一部のユニットが装置本体へ装着された場合に、該一部のユニットおよび他のユニットの走行距離に応じて前記延長する時間を定める請求項１〜８何れか１項に記載の画像形成装置。
【請求項１１】
装置本体に装着した一部のユニットおよび他のユニットが何れも新品である時に、前記延長する時間を０にする請求項１０に記載の画像形成装置。
【請求項１２】
二次転写部材を中間転写体に常時当接させる請求項１〜１１何れか１項に記載の画像形成装置。
【発明の詳細な説明】
【技術分野】
【０００１】
本発明は、二次転写部材のクリーニング機能を備えた画像形成装置に関する。
【背景技術】
【０００２】
近年の電子写真方式の画像形成装置においては、感光体、現像装置、感光体クリーニング装置等をユニット化してプロセスユニットとし、ジャム処理時やメンテナンス時等にプロセスユニットを装置本体から着脱できるようにした構成を採用する場合が多い。
【０００３】
このプロセスユニットにおいては、感光体との間でトナーを移行させる領域、例えば現像装置の現像ローラと感光体との間の領域や、感光体クリーニング装置のクリーニングブレードと感光体との間の領域でトナー漏れが生じ易い。これを防止するため、これらのトナー移行領域にはシール材を設けるのが通例である。このシール材のシール性を強化するため、例えば特開２０００−１３２０２８号公報（特許文献１）には第一シール部材に加えて第二シール部材を設ける構成が開示され、特開平１０−４８９４５号公報（特許文献２）には感光体に対するシール材の突き当たり量を調整可能にした構成が開示されている。
【発明の概要】
【発明が解決しようとする課題】
【０００４】
ところで、プロセスユニットを長期間使用すると、シール材やシール材と接触する部材の摩耗、あるいはシール材へのトナーの堆積等により、上記シール部でのシール性が徐々に低下する。そのため、プロセスユニットを装置本体に対して着脱した際に、着脱に伴う衝撃によりプロセスユニットの上記シール部でトナー漏れを生じることがある。
【０００５】
このようなトナー漏れを生じた場合、中間転写ベルトがトナーで汚染される。中間転写ベルト上のトナーはその後の印刷で二次転写ローラに転移して二次転写ローラの表面を汚染し、さらに用紙の裏面に付着するため、用紙の裏汚れを生じる。かかる不具合を防止するために特許文献１や特許文献２に記載されたシール強化対策を採用すると、部品点数の増大や構成の複雑化によるコストアップを招く。
【０００６】
近年では画質向上という市場ニーズに対応するためにトナーを小径化したり球形度を高めたりする傾向にある。この種のトナーでは、既存トナーに比べてトナーの流動性が増しているため、この種のトナーの使用と併せて特許文献１や特許文献２に記載のシールを採用したとしても、プロセスユニット着脱に伴うトナー漏れを完全に防止することは困難であり、用紙の裏汚れ対策としては不十分である。
【０００７】
そこで、本発明は、ユニット着脱時のトナー漏れに起因する用紙の裏汚れを防止できる画像形成装置を提供することを目的とする。
【課題を解決するための手段】
【０００８】
上記課題を解決するため、本発明は、装置本体と、潜像を担持する像担持体と、像担持体にトナーを供給してトナー像を形成する現像装置と、像担時体との間に一次転写ニップを形成し、像担持体に担持されたトナー像が一次転写される中間転写体と、中間転写体との間に二次転写ニップを形成し、中間転写体に担持されたトナー像を記録媒体に二次転写する二次転写部材と、二次転写部材をクリーニングするクリーニング手段とを備え、像担持体および現像装置のどちらか一方または双方を含むユニットが装置本体に対して着脱可能であり、正常印刷完了後の立ち上げ操作による印刷開始前に、クリーニング手段で二次転写部材を規定時間クリーニングする画像形成装置において、前記ユニットが装置本体へ装着された場合に、クリーニング手段で二次転写部材をクリーニングし、かつこのクリーニングの実行時間を、前記規定時間よりも延長することを特徴とするものである。
【発明の効果】
【０００９】
本発明によれば、ユニットを装置本体へ装着した際の二次転写クリーニングの実行時間を、正常印刷完了後の立ち上げ操作で行われる二次転写クリーニングの実行時間よりも延長しているので、装置本体へのユニットの装着によりトナー漏れを生じ、中間転写体がトナーで汚染された場合でも、記録媒体の裏汚れを防止することができる。その一方で、正常印刷完了後の立ち上げ操作で行われる二次転写クリーニングの実行時間を延長する必要はないので、ファーストプリントタイムの短縮化を図ることができる。
【図面の簡単な説明】
【００１０】
【図１】画像形成装置としてのプリンタの概略構成を示す断面図である。
【図２】プロセスユニットおよびトナー補給容器の構成を示す断面図である。
【図３】（ａ）はデフォルトとして設定された二次転写クリーニングの規定実行時間を示す図であり、同図（ｂ）は、プロセスユニットの装着時に延長した二次転写クリーニングの実行時間を示す図である。
【図４】本実施形態の制御フローを示す図である。
【図５】本実施形態の制御フローを示す図である。
【図６】各プロセスユニットを新品あるいは旧品とて二次転写クリーニングの延長時間を変更した時に生じる用紙の裏汚れを評価した結果を示す図である。
【図７】二次転写ローラに印加する電圧極性の変化示す図である。
【図８】画像形成装置の他の実施形態を示す断面図である。
【発明を実施するための形態】
【００１１】
以下、添付の図面に基づき、本発明の実施形態について説明する。なお、各図面において、同一の機能もしくは形状を有する部材や構成部品等の構成要素については、判別が可能な限り同一符号を付すことにより一度説明した後ではその説明を省略する。
【００１２】
図１は、本発明の実施の一形態に係る画像形成装置としてのプリンタの概略構成図である。まず、図１を参照して、プリンタの全体構成及び動作について説明する。
【００１３】
図１に示すように、プリンタの装置本体（画像形成装置本体）１００の中央には、カラー画像の色分解成分に対応するイエロー（Ｙ）、マゼンタ（Ｍ）、シアン（Ｃ）、ブラック（Ｂｋ）の異なる色の画像を形成する４つのプロセスユニット１Ｙ，１Ｍ，１Ｃ，１Ｂｋが設けられている。各プロセスユニット１Ｙ，１Ｍ，１Ｃ，１Ｂｋは、表面に静電潜像を担持する像担持体としての感光体２と、感光体２の表面を帯電させる帯電手段としての帯電ローラ３と、感光体２上の静電潜像にトナーを供給して現像する現像装置４と、感光体２の表面をクリーニングする感光体クリーニング装置５とを備える。
【００１４】
なお、図１では、ブラックの画像を形成するプロセスユニット１Ｂｋが備える感光体２、帯電ローラ３、現像装置４、感光体クリーニング装置５のみに符号を付しており、その他のプロセスユニット１Ｍ，１Ｃ，１Ｂｋにおいては符号を省略している。
【００１５】
現像装置４は、供給ローラ４ａおよび現像ローラ４ｂを有する。現像装置４の上方に配置されたトナー補給容器２１から現像装置４に移送されたトナーは、供給ローラ４ａおよび現像ローラ４ｂの回転により感光体２の表面に供給される。各色トナーとしては、粒径６μｍ以下の小径でかつ高球形度の重合トナーを使用するのが好ましい。
【００１６】
感光体クリーニング装置５は、感光体２の表面をクリーニングするものであり、感光体２の回転方向に対してカウンター方向に当接するクリーニングブレード５ａと、クリーニングブレード５ａに除去されたトナーを移送する移送部材５ｂとを備えている。
【００１７】
図１において、各プロセスユニット１Ｙ，１Ｍ，１Ｃ，１Ｂｋの上方には、各感光体２の表面に静電潜像を形成する潜像形成手段としての露光装置６が配設されている。本実施形態の露光装置６は、光源、ポリゴンミラー、ｆ−θレンズ、反射ミラー等を有し、画像データに基づいて各感光体２の表面へレーザー光を照射するように構成されているが、ＬＥＤアレイを用いたものであってもよい。
【００１８】
一方、各プロセスユニット１Ｙ，１Ｍ，１Ｃ，１Ｂｋの下方には、記録媒体としての用紙にトナー画像を転写する転写装置７が配設されている。転写装置７は、中間転写体としての無端状のベルトから成る中間転写ベルト８を有する。この中間転写ベルト８は、駆動ローラ９、従動ローラ１０、および一次転写ローラ１１に掛け渡されている。駆動ローラ９が図の反時計回りに回転することによって、中間転写ベルト８は図の矢印に示す方向に周回走行（回転）するように構成されている。本実施形態において、駆動ローラ９は、後述する二次転写ニップにおいて、中間転写ベルト８を介して二次転写ローラ１２と対向する対向部材としても機能する。
【００１９】
４つの一次転写ローラ１１は、４つの感光体２に対向した位置に配設されている。各一次転写ローラ１１はそれぞれの位置で中間転写ベルト８の内周面を押圧しており、中間転写ベルト８の押圧された部分と各感光体２とが当接する箇所に一次転写ニップが形成されている。各一次転写ローラ１１は、図示しない電源に接続されており、所定の直流電圧（ＤＣ）及び／又は交流電圧（ＡＣ）が一次転写ローラ１１に印加されるようになっている。なお、本実施形態では、一次転写部材として、金属製のローラを用いているが、これ以外に、導電ブレードや導電スポンジローラ等を用いることも可能である。
【００２０】
また、駆動ローラ９に対向した位置に、二次転写部材としての二次転写ローラ１２が配設されている。この二次転写ローラ１２は中間転写ベルト８の外周面を押圧しており、二次転写ローラ１２と中間転写ベルト８とが当接する箇所に二次転写ニップが形成されている。二次転写ローラ１２は、一次転写ローラ１１と同様に、図示しない電源に接続されており、所定の直流電圧（ＤＣ）及び／又は交流電圧（ＡＣ）が二次転写ローラ１２に印加されるようになっている。二次転写ローラ１２は、金属製の芯金に導電性材料から成る弾性体を被覆して構成されている。二次転写ローラ１２として、例えば、導電性ローラや電子導電タイプのローラ等を用いることが可能である。二次転写ローラ１２は、中間転写ベルト８に対して接離可能な構成とせず、常時当接させておくのが望ましい。これによりコスト面で有利となる。
【００２１】
中間転写ベルト８のうち、最上流のプロセスユニット１Ｙよりも上流側でかつ二次転写ニップよりも下流側の外周には、中間転写体クリーニング装置としてのベルトクリーニング装置１３が配設されている。このベルトクリーニング装置１３は、二次転写後の中間転写ベルト８上に残ったトナーを除去するもので、中間転写ベルト８の移動方向に対してカウンター方向に当接するクリーニングブレード１３ａと、クリーニングブレード１３ａに対向する金属製の対向ローラ１３ｂと、コイル等からなる移送部材１３ｃとを備えている。
【００２２】
また、中間転写ベルト８のうち、緩み側となるベルトの下流側にはセンサ２２が配置される。図面では、最下流のプロセスユニット１Ｂｋよりも下流側でかつ従動ローラ１０と対向する領域にセンサ２２を配置した場合を例示している。このセンサ２２は、中間転写ベルト８上に転移したトナーの付着量を測定し、さらに各色トナー像の位置を測定するもので、正反射方式と拡散反射方式を組み合わせたものが使用される。このセンサ２２からの情報に基づいて、画像濃度の調整や位置合わせ等が行われる。
【００２３】
転写装置７の下方には、トナー回収容器１４が配設されている。このトナー回収容器１４には、感光体クリーニング装置５の移送部材５ｂおよびベルトクリーニング装置１３の移送部材１３ｃで移送された廃トナーが収容される。
【００２４】
装置本体１００の図の下部には、記録媒体としての用紙Ｐを収容する給紙トレイ１５や、給紙トレイ１５から用紙Ｐを給送する給紙ローラ１６等が設けてある。ここで、用紙Ｐには、厚紙、はがき、封筒、普通紙、薄紙、塗工紙（コート紙やアート紙等）、トレーシングペーパ等が含まれる。また、記録媒体として、ＯＨＰシートやＯＨＰフィルム等を用いることも可能である。
【００２５】
一方、装置本体１００の上部には、用紙を外部へ排出するための一対の排紙ローラ１７が配設されている。また、装置本体１００の上面部には、装置外に排出された用紙をストックするための排紙トレイ１８が設けてある。
【００２６】
装置本体１００内には、用紙Ｐを給紙トレイ１５から二次転写ニップを通って排紙トレイ１８へ搬送するための搬送路Ｒが配設されている。搬送路Ｒにおいて、二次転写ローラ１２の位置よりも用紙搬送方向上流側には、搬送タイミングを計って二次転写ニップへ用紙を搬送するタイミングローラとしての一対のレジストローラ１９が配設されている。一方、二次転写ローラ１２の位置よりも用紙搬送方向下流側には、用紙に転写された未定着画像を定着するための定着装置２０が配設されている。定着装置２０は、図示しない加熱源を有する定着ローラ２４と、定着ローラ２４に加圧される加圧ローラ２５とを備える。両ローラ２４，２５が当接した箇所では、定着ニップが形成されている。
【００２７】
続いて、図１を参照して、本実施形態に係るプリンタの基本的動作について説明する。
印刷が開始されると、各プロセスユニット１Ｙ，１Ｍ，１Ｃ，１Ｂｋの各感光体２が図示しない駆動装置によって図の時計回りに回転駆動され、各感光体２の表面が帯電ローラ３によって所定の極性に一様に帯電される。図示しない読取装置やコンピュータ等からの画像情報に基づいて、露光装置６からの露光により、各感光体２の帯電面に静電潜像が形成される。このとき、各感光体２に露光する画像情報は所望のフルカラー画像をイエロー、マゼンタ、シアン及びブラックの色情報に分解した単色の画像情報である。このように感光体２上に形成された静電潜像に、各現像装置４からトナーが供給されることにより、静電潜像はトナー像として可視画像化（顕像化）される。
【００２８】
また、印刷が開始されると、中間転写ベルト８が図の矢印の方向に回転駆動される。さらに、各一次転写ローラ１１に、トナーの帯電極性と逆極性の定電圧又は定電流制御された電圧が印加される。これにより、一次転写ニップにおいて転写電界が形成される。
【００２９】
その後、各感光体２の回転に伴い、感光体２上の各色のトナー画像が一次転写ニップに達したときに、一次転写ニップにおいて形成された上記転写電界によって、各感光体２上のトナー像が中間転写ベルト８上に順次重ね合わせて転写される。かくして、中間転写ベルト８の表面にフルカラーのトナー像が担持される。中間転写ベルト８に転写しきれなかった各感光体２上のトナーは、ベルトクリーニング装置５のクリーニングブレード５ａによって表面から除去され、トナー回収容器１４に移送される。また、各感光体２の表面が図示しない除電装置によって除電作用を受け、その表面電位が初期化されて次の画像形成に備えられる。
【００３０】
また、給紙ローラ１６が回転駆動を開始し、給紙トレイ１５から用紙Ｐが搬送路Ｒに送り出される。搬送路Ｒに送り出された用紙Ｐは、レジストローラ１９によってタイミングを計られて、二次転写ニップに送られる。このとき、二次転写ローラ１２には、中間転写ベルト８上のトナー画像のトナー帯電極性と逆極性の転写電圧が印加されており、これにより、二次転写ニップに転写電界が形成されている。
【００３１】
その後、中間転写ベルト８の回転に伴って、中間転写ベルト８上のトナー画像が二次転写ニップに達したときに、二次転写ニップにおいて形成された上記転写電界によって、中間転写ベルト８上のトナー画像が用紙Ｐ上に一括して転写される。また、用紙Ｐに転写しきれなかった中間転写ベルト８上のトナーは、ベルトクリーニング装置１３のクリーニングブレード１３ａによって除去された後、トナー回収容器１４に移送される。
【００３２】
その後、用紙Ｐは定着装置２０へと搬送される。定着装置２０では、用紙Ｐが、定着ローラ２４と加圧ローラ２５との間に形成された定着ニップを通過することにより、トナー画像が当該用紙Ｐに定着される。そして、用紙Ｐは、排紙ローラ１７によって装置外へ排出され、排紙トレイ１８上にストックされる。
【００３３】
以上の説明は、用紙上にフルカラー画像を形成するときの画像形成動作であるが、４つのプロセスユニット１Ｙ，１Ｍ，１Ｃ，１Ｂｋのいずれか１つを使用して単色画像を形成したり、２つ又は３つのプロセスユニットを使用して、２色又は３色の画像を形成したりすることも可能である。
【００３４】
図２は、プロセスユニット１（１Ｙ，１Ｍ，１Ｃ，１Ｂｋ）およびトナー補給容器２１の概略構成を示す断面図である。以下では、同図に基づいて主としてトナー補給容器２１および現像装置４の構成を説明する。
【００３５】
トナー補給容器２１は、例えばトナーカートリッジで構成されている。トナーカートリッジ２１は、プロセスユニット１と独立して装置本体１００に対して着脱可能であり、その内部には、攪拌部材としての攪拌パドル２１ａと、スクリューやコイルからなる搬送部材２１ｂとが配置されている。また、トナーカートリッジ２１には、装置本体１００への装着時に現像装置４の内部空間につながるトナー補給口（図示省略）が設けられている。トナーカートリッジ２１内に収容されたトナーは、その流動性保持のために攪拌パドル２１ａの回転で攪拌される。また、トナーは、搬送部材２１ｂの回転により前述のトナー補給口に向けて搬送され、トナー補給口から現像装置４の内部に供給される。
【００３６】
搬送部材２１ｂは、装置本体１００に配置された駆動源に連結されている。搬送部材２１ｂと駆動源の間はクラッチ等の公知の手段を介して結合状態と非結合状態とが切り替えられる。トナー補給量は駆動源の駆動時間で制御することができる。駆動源の駆動時間は、例えばトナーの流動性の変化（トナーの色や温度・湿度環境の変化）に応じて適宜制御される。
【００３７】
現像装置４は、上述の供給ローラ４ａおよび現像ローラ４ｂの他に、輸送部材４ｃ、アジテータ４ｄ、および規制ブレード４ｅを有する。供給ローラ４ａ、現像ローラ４ｂ、および規制ブレード４ｅには、それらに所定電圧を印加する電源が接続されている。現像装置４の内部では、アジテータ４ｄによりトナーが攪拌され、さらに輸送部材４ｃによってトナーが長手方向全域に移送される。トナーは、スポンジ材質からなる供給ローラ４ａの回転でトナー担時体としての現像ローラ４ｂに移送され、さらに現像ローラ４ｂの回転で感光体２の表面に供給される。供給ローラ４ａから現像ローラ４ｂに移送されたトナーは、規制ブレード４ｅにより均一な厚さにされてから感光体２の表面に供給される。
【００３８】
以上に説明したプロセスユニット１は、図２の破線で囲まれた領域中の各要素（感光体２、帯電ローラ３、現像装置４、および感光体クリーニング装置５）を一体に有するユニットである。従って、プロセスユニット１を装置本体１００に着脱することで、これらの要素（２，３，４，５）が一括して装置本体１００に対して着脱可能となる。以上の説明では、トナー補給容器２１と現像装置４を近接させて配置し、トナー補給容器２１から直接現像装置４内にトナーを補給する構成を例示したが、トナー補給容器２１を現像装置４から離して配置し、トナー補給容器２１から適宜の構成の補給経路を介して現像装置４にトナーを補給するようにした構成を採用することもできる。
【００３９】
プロセスユニット１には、製品情報や使用履歴情報等を格納するため、ＩＣチップ等の記憶素子３１が取り付けられている。また、装置本体１００には、各プロセスユニット１の取り付け位置に、ＩＣチップ３１に格納された情報を読み取るための読み取り装置（図示省略）が設けられている。プロセスユニット１の装置本体１００への装着は、このＩＣチップ３１に格納された情報を読み取り装置で読み取ることで認識することができる。かかる構成であれば、プロセスユニット１の装置本体１００への着脱を検知するためのセンサを新たに設置する必要がなく、低コスト化を図ることができる。
【００４０】
ところで、このプロセスユニット１では、現像装置４からのトナー漏れ防止のため、現像ローラ４ｂの両端部にシール材（図示省略）を接触させている。プロセスユニット１を長期間使用すると、このシール材に摺接する現像ローラ４ｂの両端部が摩耗する。摩耗が進行すると、プロセスユニット１を装置本体１００に着脱させた際に、その衝撃でトナーが漏れ、中間転写ベルト８上に落下するおそれがある（以下、この現象を「トナー落ち」と称する）。中間転写ベルト８に落下したトナーは、その後の印刷により二次転写ローラ１２に転移し、用紙の裏汚れを発生させる要因となる。
【００４１】
この他、プロセスユニット１の着脱時のトナー落ちは、感光体２と感光体クリーニング装置５の境界部でも生じる。
【００４２】
以下、以上に述べた課題を解決する本発明の特徴的構成を説明する。
図１に示す本発明の画像形成装置には、二次転写ローラ１２の表面をクリーニングするクリーニング手段３０が設けられている。このクリーニング手段３０は、二次転写ローラ１２にトナーの帯電極性と同極性の電圧を印加することにより、二次転写ローラ１２に付着したトナーを中間転写ベルト８に逆転写させて二次転写ローラ１２をクリーニング（二次転写クリーニング）するものである。
【００４３】
上記のとおり印刷中の二次転写ローラ１２には、トナーの帯電極性と逆極性の転写電圧が印加されているが、二次転写クリーニング中は、二次転写ローラ１２に印加される電圧が反転し、トナーの帯電極性と同極性の電圧が二次転写ローラ１２に印加される。このように印加電圧を反転させるため、クリーニング手段３０は、二次転写ローラ１２への給電路を切り替える切り替え部２６を有している。
【００４４】
このクリーニング手段３０による二次転写クリーニングは、印刷中は行われず、印刷以外の段階で感光体２および中間転写ベルト８を回転駆動させる必要がある時に、これに付随する形で行われる。具体的には、
（１）主電源ＯＮの操作があった時
（２）スリープ状態で立ち上げ操作があった時
（３）待機状態で立ち上げ操作があった時
（４）ジャム処理後に立ち上げ操作があった時
（５）強制終了後に立ち上げ操作があった時
から、画像形成装置がレディ状態となるまでの間にクリーニング手段３０による二次転写クリーニングが行われる。また、この他にも、立ち上げ操作とは無関係に、印刷終了後のエンドシーケンスの実行時や、トナー像の位置合わせ、濃度調整、あるいは色合わせ等を行った際にもクリーニング手段３０による二次転写クリーニングを行う場合がある。以上に述べた各二次転写クリーニングの実行時間は、予め対応する操作や事象ごとにデフォルトとして個別に設定されている
【００４５】
ここで、上記（２）〜（５）の「立ち上げ操作」は、画像形成装置をレディ状態に立ち上げるための操作をいい、具体例として、外部機器からの画像信号の入力、外装カバーのクローズ動作、あるいは操作パネルの操作等を挙げることができる。上記（１）の主電源ＯＮは、その操作自体が「立ち上げ操作」に該当する。
【００４６】
なお、上記（２）の「スリープ状態」は画像形成エンジンＯＦＦでかつ最低限必要なコントローラのみＯＮとなっている状態（省電力モード）、上記（３）の待機状態は印刷終了直後であって、画像形成エンジンおよびコントローラが全てＯＮとなっている状態を意味する。上記（５）の「強制終了」は、装置各部での異常検知（例えば定着装置２０での過昇温）により印刷が強制終了された場合を意味する。上記（１）〜（３）は、前回の印刷が正常に行われた後の立ち上げ操作を表し、上記（４）および（５）は、何れも前回の印刷が異常終了した後の立ち上げ操作を意味する。
【００４７】
本発明では、上記の課題を解決するため、プロセスユニット１を装置本体１００に装着した後、上記立ち上げ操作があった際にクリーニング手段３０で二次転写クリーニングを行う一方、この時の二次転写クリーニングの実行時間Ｔ２（図３（ｂ）参照）を、上記（１）〜（３）の立ち上げ操作（正常印刷完了後の立ち上げ操作）に対応してそれぞれデフォルトで設定された二次転写クリーニングの規定の実行時間Ｔ１（図３（ａ）参照）よりも所定時間ｔだけ延長している（Ｔ２＞Ｔ１）。（１）〜（３）の各立ち上げ操作についてデフォルトで設定された二次転写クリーニングの実行時間が異なる場合、それらの中で最長の実行時間Ｔ１よりも実行時間Ｔ２が長くなるように延長時間ｔを定める。この延長時間ｔは画像形成装置に設けられた制御部が設定する。
【００４８】
既存の画像形成装置でも、プロセスユニット１が装着された時は、これを主電源ＯＮと認識し、（１）の立ち上げ操作に対応してデフォルトで設定された規定時間だけ二次転写クリーニングが行われている。これに対し、本発明は、上記のようにプロセスユニット１の装着があった時は、二次転写クリーニングの実行時間をこの規定時間よりも延長することを特徴とする。二次転写クリーニング中は、中間転写ベルト８の表面にトナーが付着していても、このトナーが二次転写ローラ１２の表面に転着することはなく、かつ二次転写ニップを通過した中間転写ベルト８表面のトナーは、ベルトクリーニング装置１３で回収・除去される。従って、本発明の構成であれば、次の印刷開始時には、中間転写ベルト８および二次転写ローラ１２がクリーンな状態にすることができ、トナー落ちによる用紙の裏汚れを回避することが可能となる。
【００４９】
近年ではファーストプリントタイムの短縮化が強く要請されており、この要請に応えるために、上記（１）〜（３）で述べた正常印刷終了後の立ち上げ操作からレディ状態になるまでの時間は短縮化（５秒未満）される傾向にある。そのため、既存の画像形成装置と同様に、上記（１）〜（３）の立ち上げ操作後、各立ち上げ操作に対応してデフォルトで設定された規定時間だけ二次転写クリーニングを行った場合でも、十分なクリーニング時間を確保することができず、用紙の裏汚れを防止することが困難となる。
【００５０】
これに対して、本発明の構成であれば、プロセスユニット１の着脱があった時だけ二次転写クリーニングの実行時間を延長されているため、上記（１）〜（３）の正常印刷完了後の立ち上げ操作に伴う二次転写クリーニングの実行時間は、それぞれデフォルトとして定められた規定時間となる。また、かかる制御の実現に際して、新たな部材を追加する必要はなく、シーケンスを変更するだけで対応することができる。従って、本発明によれば、ファーストプリントタイムの短縮化を図りつつ、用紙の裏汚れを低コストに防止することが可能となる。
【００５１】
なお、上記（４）および（５）の異常終了後の立ち上げ操作では、システムチェックのシーケンスを実行するのが通例であり、その処理にある程度の時間を要するため、立ち上げ操作からレディ状態となるまでに長時間（例えば１５秒以上）を要する。従って、これらの立ち上げ操作に対応してデフォルトとして設定される二次転写クリーニングの実行時間も十分に長い時間とすることができる。そのため、前回の印刷が異常終了した後でプロセスユニット１を着脱し、その後の立ち上げ操作で二次転写クリーニングを行う場合には、二次転写クリーニングの実行時間を延長する必要はない。
【００５２】
以下、本発明の第一実施形態を図４に基づいて説明する。図４は、二次転写クリーニングの実行時間を決定するための制御フローを示す図である。
同図に示すように、画像形成装置の立ち上げ操作が開始されると、直前の印刷が正常に完了したか否かが画像形成装置の制御部で判断される。Ｎｏの場合（異常印刷完了の場合）には、二次転写クリーニングの実行時間は延長されず、制御部からの指令でデフォルトとして設定された規定時間の二次転写クリーニングが実行される。ＹＥＳの場合（正常印刷完了の場合）には、上述したＩＣチップ３１に格納された情報を読み取り装置で読み取ることにより、プロセスユニット１の装置本体１００への装着が行われた否かが判断される。プロセスユニット１の装置本体１００への装着が行われていた場合は、制御部からの指令で二次転写クリーニングの実行時間が延長される。一方、プロセスユニット１の装置本体１００への装着が行われていない場合は、二次転写クリーニングの実行時間は延長されず、制御部からの指令でデフォルトとして設定された規定時間の二次転写クリーニングが実行される。
【００５３】
以上に述べた構成によれば、プロセスユニット１の装置本体１００への装着が行われていた場合は、制御部からの指令で二次転写クリーニングの実行時間が延長される。これにより、プロセスユニット１の装置本体１００への装着によりトナー漏れが生じ、中間転写ベルト８がトナーで汚染された場合でも、記録媒体の裏汚れを防止することができる。その一方で、正常印刷完了後の立ち上げ操作時に、プロセスユニット１の装置本体１００への装着が行われていない場合には、二次転写クリーニングの実行時間を延長しないので、ファーストプリントタイムの短縮化を図ることができる。
【００５４】
以上に述べた二次転写クリーニングの実行時間の延長は、プロセスユニット１の着脱が行われた際に常に行うことも考えられる。その一方で、プロセスユニット１の着脱時のトナー落ちは、装着したプロセスユニット１が新品であればほとんど生じないのが実情であり、このような場合にまで二次転写クリーニングの実行時間を延長すると経済的に不利となる。
【００５５】
また、トナー落ちは、着脱したプロセスユニット１だけで生じるとは限らない。着脱の衝撃で装置本体が振動するため、その振動を受けた未着脱の他のプロセスユニット１でもトナー落ちが生じる。従ってプロセスユニット１の新旧判断を、着脱したプロセスユニット１だけで行うのは不十分であり、他のプロセスユニット１についても新旧判断を行うのが望ましい。
【００５６】
このような要請に着目した制御フローの一例を、第二実施形態として図５に示す。
先ず、プロセスユニット１の装着を認識した後、着脱したプロセスユニット１が旧品であるか否かを制御部で判断する。着脱したプロセスユニットが旧品であれば（Ｙｅｓ）、延長時間Ａを選択して二次転写クリーニングを実行する。また、着脱したプロセスユニット１が新品であれば（Ｎｏ）、他のプロセスユニット１の状態を確認するフローに移行する。他のプロセスユニットが旧品であれば（Ｙｅｓ）、延長時間Ｂを選択して二次転写クリーニングを実行する。他のプロセスユニット１が新品であれば（Ｎｏ）、延長時間Ｃを選択して二次転写クリーニングを行う。
【００５７】
本発明者らの検証により、シールＳ１からのトナー落ちは、プロセスユニット１の走行距離に関係することが判明している。これは、現像ローラ４ｂの端部ではトナー漏れ防止のためのシール材が接触しており、プロセスユニット１の走行距離が大きくなると、シール材との摺接により現像ローラ４ｂの端部が摩耗するためと考えられる。トナー落ちを生じる走行距離のしきい値は３０００ｍ以上であることも判明している。従って、図５に示す制御フローでのプロセスユニット１の新旧判断では、対象となるプロセスユニット１の走行距離ＬがＬ＜３０００［ｍ］の関係である時に新品とし、３０００［ｍ］≦Ｌの関係である時に旧品とする。なお、プロセスユニット１の走行距離は、各プロセスユニット１に装着されたＩＣチップ３１に格納された情報から認識することができる。
【００５８】
図６は、着脱したプロセスユニット１と、それ以外のプロセスユニット１とをそれぞれ新品および旧品として二次転写クリーニングの延長時間を変更し、その時のトナー落ちによる用紙の裏汚れを評価した結果を示すものである。
【００５９】
同図中の実施例１および実施例２は、着脱したプロセスユニット１とそれ以外のプロセスユニット１を何れも新品とした場合である。但し、実施例１は各プロセスユニット１の走行距離ＬをＬ＜１０００［ｍ］とし、実施例２の各プロセスユニットの走行距離（Ｌ＜３０００［ｍ］）よりも短くしている。実施例３は着脱したプロセスユニット１とそれ以外のプロセスユニット１を何れも旧品とした場合であり、実施例４は着脱したプロセスユニット１を新品とし、それ以外のプロセスユニット１を旧品とした場合である。
【００６０】
また、比較例１，２，３は各プロセスユニットの新旧状態を実施例３と共通にし、比較例４，５は各プロセスユニット１の新旧状態を実施例４と共通にしている。比較例１，２，３、および実施例３は二次転写クリーニングの延長時間ｔを異ならせている。同様に、比較例４，５および実施例４でも二次転写クリーニングの延長時間ｔを異ならせている。
【００６１】
図６の評価結果から以下の事実が明らかになった。
（ａ）着脱したプロセスユニット１およびそれ以外のプロセスユニット１が何れも新品である場合（実施例１，２）、二次転写クリーニングの延長時間が０でも用紙の裏汚れは発生しない。
（ｂ）着脱したプロセスユニット１および他のプロセスユニット１が何れも旧品である場合（比較例１，２，３、実施例３）、用紙の裏汚れを完全に防止するためには、二次転写クリーニングの実行時間を１５秒以上延長する必要がある。
（ｃ）着脱したプロセスユニット１が新品で、それ以外のプロセスユニットが旧品である場合（比較例４，５、実施例４）、用紙の裏汚れを完全に防止するためには、二次転写クリーニングの実行時間を１０秒以上延長する必要がある。
（ｄ）着脱したプロセスユニット１および他のプロセスユニット１が何れも旧品である場合、着脱したプロセスユニット１が新品で、それ以外のプロセスユニットが旧品である場合よりも二次転写クリーニングの実行時間をさらに延長する必要がある。
（ｅ）二次転写クリーニングの実行時間を５秒延長しても、程度の差はあれ用紙の裏汚れが発生する（比較例１〜５、実施例３，４）。
【００６２】
以上の評価で使用した画像形成装置では、最上流のプロセスユニット１Ｙの一次転写ニップから二次転写ニップまでの距離が７５０ｍｍ程度、中間転写ベルト８の線速が１５０［ｍｍ／ｓｅｃ］になっている。この場合、中間転写ベルト８が最上流のプロセスユニット１Ｙの一次転写ニップから二次転写ニップに至るまでの所要時間は５秒となる。これと上記（ｅ）の事実とから、最上流のプロセスユニット１Ｙから中間転写ベルト８上に落ちたトナーが二次転写ニップにある間は用紙の裏汚れを生じ、裏汚れを完全に防止するためには、少なくとも中間転写ベルト８上のトナーが二次転写ニップを越えるまで二次転写クリーニングを行う必要があることが理解できる。
【００６３】
以上に述べた評価試験の結果、およびその考察から、本発明の課題を解決するためには、上記の基本的制御に加えて、以下の制御の何れかを単独で、もしくは組み合わせて行うのが好ましい。
【００６４】
・プロセスユニット１装着後の二次転写ローラ１２のクリーニングは、中間転写ベルト８のうち、最上流のプロセスユニットＹの一次転写ニップを形成した部分が少なくとも二次転写ニップを通過するまで行う。これは、最上流のプロセスユニット１Ｙの一次転写ニップから二次転写ニップにいたるまでのベルトの周回距離をＸ［ｍｍ］とし、ベルト線速をＶ［ｍ／ｓｅｃ］とした時、
Ｔ２＞Ｘ／Ｖ  …（式１）
の関係を満たすことを意味する。その一方で、ファーストプリントタイムの短縮化のため、正常印刷完了後の立ち上げ操作に対応してデフォルトで設定された二次転写クリーニングは、中間転写ベルト８の一次転写ニップを形成した部分が二次転写ニップに達するより前に完了させる。
【００６５】
なお、トナーの色によって裏汚れが目立つ場合と目立たない場合がある。例えばイエローのプロセスユニット１だけでトナー落ちがあったとしても、裏汚れは目立ち難い。この場合、上記の式１は裏汚れが目立つ色、例えばブラックのプロセスユニット１Ｂｋを基準に定めることも可能である。すなわち、プロセスユニット１装着後の二次転写ローラ１２のクリーニングは、中間転写ベルト８のうち、ブラックのプロセスユニット１Ｂｋの一次転写ニップを形成した部分が少なくとも二次転写ニップを通過するまで行う。
【００６６】
・二次転写クリーニングの実行時間を延長するか否かは、装置本体１００に装着されたプロセスユニット１００の走行距離に基づいて判断する。
【００６７】
・複数のプロセスユニット１を装置本体１００に着脱可能とした構成では、複数のプロセスユニット１のうち、一部のプロセスユニットの装置本体１００への装着後に、この一部のプロセスユニットおよび他のプロセスユニットの走行距離に応じて二次転写クリーニングの延長時間を定める。
【００６８】
・装置本体１００に装着した一部のプロセスユニット１および他のプロセスユニット１が何れも新品である時には、二次転写クリーニングの延長時間を０にする。
【００６９】
以上に述べたクリーニング手段３０において、二次転写クリーニングの実行時間を延長する場合、デフォルトとして設定された規定時間Ｔ１および延長したクリーニング時間ｔの間は、二次転写ローラ１２に印加する電圧を同極性にすることができる（トナーの帯電極性がマイナスであれば、クリーニング手段３０による印加電圧も常時マイナスとする）。
【００７０】
これ以外にも、図７に示すように、延長したクリーニング時間ｔの間は、二次転写ローラ１２に印加する電圧の極性を交互に反転させることもできる。つまりプロセスユニット１が装置本体に装着された際には、二次転写ローラ１２にトナーと同極性の電圧を規定時間Ｔ１だけ印加した後、トナーの帯電極性と同極性の電圧および逆極性の電圧を交互に印加するようクリーニング手段３０を制御する。トナー中には、狙いの帯電極性のトナー粒子だけでなく、逆極性のトナー粒子が僅かに含まれるのが通例であるが、このように電圧極性を交互反転させれば、狙いとは逆極性のトナーも二次転写ローラ１２の表面から確実に除去することができる。電圧極性の反転は、少なくとも二次転写ローラ１２が１周するまで継続して行うのが好ましい。
【００７１】
また、以上の説明では、クリーニング手段３０として、二次転写ローラ１２に電圧を印加するものを例示したが、図８に示すように、二次転写ローラ１２と対向する駆動ローラ９に電圧を印加することもできる。この場合、駆動ローラ９には、トナーの帯電極性と逆極性の電圧が印加される。
【００７２】
図８の構成においても、二次転写クリーニングに際しては、デフォルトとして設定された規定時間Ｔ１および延長したクリーニング時間ｔ中に駆動ローラ９に印加する電圧を同じ極性にすることができる（トナーの帯電極性がマイナスであれば、印加電圧を常時プラスとする）。この他、図７と同様に、延長したクリーニング時間ｔにおいて電圧の極性を交互に反転させることもできる。つまり、プロセスユニット１が装置本体に装着された際には、駆動ローラ９にトナーと逆極性の電圧を規定時間Ｔ１だけ印加した後、トナーの帯電極性と同極性の電圧および逆極性の電圧を交互に印加するようクリーニング手段３０を制御する。
【００７３】
なお、本発明は上述の実施形態に限定されるものではなく、本発明の要旨を逸脱しない範囲で種々の変更を加え得ることは勿論である。例えば、本発明に係る画像形成装置は、図１に示すようなプリンタに限らず、複写機、ファクシミリ、あるいはこれらの複合機等とすることが可能である。
【００７４】
また、本実施形態では、図２に示すプロセスユニット１を装置本体１００に着脱させる場合を例示したが、この他に公知の画像形成装置として、図２に二点鎖線で示すように、プロセスユニット１にさらにトナー補給容器２１を一体化したオールインワンタイプ（ＡＩＯタイプ）と呼ばれるユニットを装置本体１００に対して着脱するもの、現像装置４を主要構成とする現像ユニットを装置本体１００に対して着脱するもの、さらには感光体２、帯電ローラ３、および感光体クリーニング装置５を主要構成とするユニットを装置本体１００に対して着脱するもの（特許文献１参照）、がある。これら何れの構成の画像形成装置に対しても、本発明を適用することが可能である。すなわち、本発明は、感光体２と現像装置４のどちらか一方または双方を含むユニットを、装置本体１００に着脱可能とした構成に適用することができる。
【００７５】
また、以上の説明では、二次転写部材１２としてローラを使用する場合を例示したが、二次転写部材はベルトで形成することもできる（二次転写ベルト）。
【００７６】
また、以上の説明では、複数の感光体２を中間転写ベルト８の上方に設けることで、感光体２を中間転写ベルト８の上面に対向させた場合を例示したが、複数の感光体２を中間転写ベルト８の下方に設けることで、感光体２を中間ベルトの下面と対向させる構成にしてもよい。このような構成でも、プロセスユニット１の装着時にトナー漏れを生じて中間転写ベルト８がトナーで汚染させる可能性があるが、本発明を適用することにより、記録媒体の裏汚れを防止することができる。
【符号の説明】
【００７７】
１        プロセスユニット（ユニット）
２        感光体（像担持体）
４        現像装置
５        感光体クリーニング装置
６        露光装置
８        中間転写ベルト（中間転写体）
９        駆動ローラ（対向部材）
１２      二次転写ローラ（二次転写部材）
１３      ベルトクリーニング装置（中間転写体クリーニング装置）
２６      切り替え部
３０      クリーニング手段
３１      ＩＣチップ（記憶素子）
１００    装置本体
【先行技術文献】
【特許文献】
【００７８】
【特許文献１】特開２０００−１３２０２８号公報
【特許文献２】特開平１０−４８９４５号公報
【図１】
2014130316.tif 000003
【図２】
2014130316.tif 000004
【図３】
2014130316.tif 000005
【図４】
2014130316.tif 000006
【図５】
2014130316.tif 000007
【図６】
2014130316.tif 000008
【図７】
2014130316.tif 000009
【図８】
2014130316.tif 000010